(57)【特許請求の範囲】
【請求項１】
繋ぎ合わされることにより編集データを構成する編集素材が時間軸に沿って登録される第１のビデオトラックと、
時間軸に沿って上記編集素材が登録される第２のビデオトラックと、
上記第１及び第２のビデオトラックのうち一方のビデオトラックにおける調整結果を他方のビデオトラックに反映させるか否かを設定する設定手段と、
上記一方のビデオトラックにおいて上記編集データ上の任意の上記編集素材の開始点又は終了点を調整点として調整することにより上記編集素材の素材長を上記編集データ上で変化させると共に、上記編集素材の上記調整点以降の上記編集データを上記調整点の調整に伴って移動させる素材長調整手段と、
上記一方のビデオトラックに対する調整結果を他方のビデオトラックに反映させると設定されている場合には、上記素材長調整手段による上記一方のビデオトラックに対する調整結果を上記他方のビデオトラックに反映させる調整結果反映手段と、
上記第１及び第２のビデオトラック及び上記一方のトラックにおける調整結果を他方のトラックに反映させるか否かを設定するための設定ボタンを表示装置に表示させるための表示データを生成すると共に、上記素材長調整手段及び上記調整結果反映手段による調整結果を上記第１及び第２のビデオトラックに反映させる表示制御手段と
を有する編集データ作成装置。
【発明の詳細な説明】
【０００１】
【発明の属する技術分野】
本発明は編集データ作成装置に関し、複数の編集素材を任意に繋ぎ合わせる編集処理を実行するための編集データを作成する編集データ作成装置に適用して好適なものである。
【０００２】
【従来の技術】
従来、複数の編集素材を任意に繋ぎ合わせて編集映像音声を作成する際の編集内容を規定した編集データを作成する場合、繋ぎ合わされた複数の編集素材のうち任意の編集素材の素材長を変化させることにより、当該編集素材を編集上最適な長さに調整し得ると考えられている。
【０００３】
【発明が解決しようとする課題】
ところが、かかる編集データの作成作業においては、編集素材の素材長を変化させることにより、その長さの変化分だけ当該編集素材以降の各編集素材をそれぞれ個々に手作業で移動させるといった煩雑な作業が必要であった。
【０００４】
本発明は以上の点を考慮してなされたもので、編集データの作成作業を一段と容易にし得る編集データ作成装置を提案しようとするものである。
【０００５】
【課題を解決するための手段】
かかる課題を解決するため本発明においては、繋ぎ合わされることにより編集データを構成する編集素材が時間軸に沿って登録される第１のビデオトラックと、時間軸に沿って編集素材が登録される第２のビデオトラックと、第１及び第２のビデオトラックのうち一方のビデオトラックにおける調整結果を他方のビデオトラックに反映させるか否かを設定する設定手段と、一方のビデオトラックにおいて編集データ上の任意の編集素材の開始点又は終了点を調整点として調整することにより編集素材の素材長を編集データ上で変化させると共に、編集素材の調整点以降の編集データを調整点の調整に伴って移動させる素材長調整手段と、一方のビデオトラックに対する調整結果を他方のビデオトラックに反映させると設定されている場合には、素材長調整手段による一方のビデオトラックに対する調整結果を他方のビデオトラックに反映させる調整結果反映手段と、第１及び第２のビデオトラック及び一方のトラックにおける調整結果を他方のトラックに反映させるか否かを設定するための設定ボタンを表示装置に表示させるための表示データを生成すると共に、素材長調整手段及び調整結果反映手段による調整結果を第１及び第２のビデオトラックに反映させる表示制御手段とを設けることにより、調整点の移動に伴って複数のビデオトラックの編集素材の長さを移動させることができ、かくして調整点以降の各編集素材の相対関係及び連続性を保ったまま所望の編集素材の編集データ上での素材長を調整することができる。
【０００６】
【発明の実施の形態】
以下図面について、本発明の一実施の形態を詳述する。
【０００７】
（１）編集装置の全体構成
図１において、１は全体として本発明による編集データ作成装置を有する編集装置を示し、ビデオテープに記録された映像映像音声の所望部分を素材（以下これをクリップと呼ぶ）として登録し得る一方、このとき所望のクリップの映像信号及び音声信号をハードディスク装置２に取り込み得るようになされている。
【０００８】
またこの編集装置１では、登録された各クリップを所望状態に繋ぎ合わせて所望の編集映像音声を得るための編集内容を規定した編集データを作成でき、さらにこの作成した編集データに従って実際に編集処理を実行することができるようになされている。
【０００９】
すなわちこの編集装置１においては、コンピュータ３、システム制御部４、映像入力部５、映像出力部６、ディジタル映像音声入出力部７、映像特殊効果処理部８、音声入出力／ミキサ部９及びディスク制御部１０がコントロールバス１１を介して接続されることにより構成されている。
【００１０】
この場合コンピュータ３は、初期時、ディスプレイ１２に所定の操作画面（以下、これをメイン画面と呼ぶ）を表示させる。またコンピュータ３は、この状態においてマウス１３が操作されることにより、クリップ登録モードが選択され、当該編集装置１に接続された複数台のビデオテープレコーダ１４Ａ〜１４Ｄのなかから１台のビデオテープレコーダ１４Ａ〜１４Ｄの再生動作命令が入力されると、これに応じた制御コマンドＣ１をシステム制御部４に送出する。
【００１１】
システム制御部４は、供給される制御コマンドＣ１に基づいて、対応するビデオテープレコーダ１４Ａ〜１４Ｄに制御信号Ｓ１を送出することにより、ビデオテープに記録された映像信号及び音声信号の再生動作を実行させる。
【００１２】
この結果このビデオテープレコーダ１４Ａ〜１４Ｄからはアナログ映像信号Ｓ２及びアナログ音声信号Ｓ３と、ディジタル映像信号Ｓ４及びディジタル音声信号Ｓ５とが出力され、アナログ映像信号Ｓ２及びアナログ音声信号Ｓ３がそれぞれ映像入力部５又は音声入出力／ミキサ部９に与えられ、ディジタル映像信号Ｓ４及びディジタル音声信号Ｓ５がディジタル映像音声入出力部７に与えられる。
【００１３】
このときシステム制御部４は、コントロールバス１１を介して映像入力部５及び音声入出力／ミキサ部９と、ディジタル映像音声入出力部７とのうちのいずれか一方を制御することにより、ビデオテープレコーダ１４Ａ〜１４Ｄから出力されたアナログ映像信号Ｓ２及びアナログ音声信号Ｓ３と、ディジタル映像信号Ｓ４及びディジタル音声信号Ｓ５とのうちのいずれか一方のみを取り込ませる。
【００１４】
かくして映像入力部５を介してアナログ映像信号Ｓ２が取り込まれた場合には、これが映像入力部５においてディジタル変換された後ディジタル映像信号Ｓ６として映像特殊効果処理部８に与えられ、ディジタル映像音声入出力部７を介してディジタル映像信号Ｓ４が取り込まれた場合には、これがそのまま映像特殊効果処理部８に与えられる。
【００１５】
このとき映像特殊効果処理部８は、システム制御４の制御のもとに、映像入力部５又はディジタル映像音声入出力部７から供給されるディジタル映像信号Ｓ６、Ｓ４をコンピュータ３に送出する。かくしてこのときディスプレイ１２には、主制御部４の制御のもとにディジタル映像信号Ｓ６、Ｓ４に基づく映像がメイン画面上の所定位置に表示される。
【００１６】
またこのときアナログ音声信号Ｓ３が取り込まれた場合には、これがそのまま音声入出力／ミキサ部９から図示しないスピーカに送出され、またディジタル音声信号Ｓ５が取り込まれた場合には、これが音声入出力／ミキサ部９においてアナログ変換された後、スピーカに送出される。
【００１７】
これによりこの編集装置１では、ディスプレイ１２に表示された映像及びスピーカから出力される音声に基づいて、オペレータがマウス１３及びキーボード１５を用いて映像及び音声の所望部分を指定することができ、さらにこれをクリップとしてそのイン点及びアウト点のタイムコードや素材長（デュレーション）等の関連データをコンピュータ３内に登録することができるようになされている。
【００１８】
このときコンピュータ３は、予め取込みモードが選択されている場合には、これに応じた制御コマンドＣ１をシステム制御部４に送出する。
【００１９】
システム制御部４は、供給される制御コマンドＣ１に基づいて、対応するビデオテープレコーダ１４Ａ〜１４Ｄに制御信号Ｓ１を送出することにより、登録されたクリップの映像音声を当該ビデオテープレコーダ１４Ａ〜１４Ｄに再生させる一方、映像入力部５及び音声入出力／ミキサ部９と、ディジタル映像音声入出力部７とのいずれか一方をコントロールバス１１を介して制御することにより、ビデオテープレコーダ１４Ａ〜１４Ｄから出力されるアナログ映像信号Ｓ２及びアナログ音声信号Ｓ３と、ディジタル映像信号Ｓ４及びディジタル音声信号Ｓ５とのうちのいずれか一方を取り込ませる。
【００２０】
この結果映像入力部５を介してアナログ映像信号Ｓ２が取り込まれた場合には、これが映像入力部５においてディジタル変換された後ディジタル映像信号Ｓ６として映像特殊効果処理部８を介してディスク制御部１０に送出され、ディジタル映像音声入出力部７を介してディジタル映像信号Ｓ４が取り込まれた場合には、これがそのままディスク制御部１０に送出される。
【００２１】
またこのとき音声入出力／ミキサ部９を介してアナログ音声信号Ｓ３が取り込まれた場合には、これが音声入出力／ミキサ部９においてディジタル変換された後ディジタル音声信号Ｓ７としてディスク制御部１０に送出され、ディジタル映像音声入出力部９を介してディジタル音声信号Ｓ５が取り込まれた場合には、これが直接ディスク制御部１０に送出される。
【００２２】
そしてディスク制御部１０は、このときシステム制御部４からコントロールバス１１を介して与えられるコマンドに基づいて、映像特殊効果処理部８又はディジタル映像音声入出力部７から与えられるディジタル映像信号Ｓ６、Ｓ４と、音声入出力／ミキサ部９又はディジタル映像音声入出力部７から与えられるディジタル音声信号Ｓ７、Ｓ５とを順次取り込み、これらをハードディスク装置２に与えてハードディスクの指定されたアドレス位置に記録させる。
【００２３】
このようにしてこの編集装置１においては、登録されたクリップの映像音声をビデオテープから再生してハードディスク装置２に取り込むことができるようになされている。
【００２４】
一方コンピュータ３は、上述のようにしてクリップが登録されると、ディスプレイ１２に表示されているメイン画面内に、登録されたクリップのリストを表示させる。
【００２５】
そしてオペレータは、このメイン画面を用いてどのクリップとどのクリップとをどのように繋ぎ合わせるかといった編集内容を規定した編集データを編集リストとして作成することができる。またオペレータは、編集リストの作成後又は作成途中において、その編集リストに基づく編集映像及び編集音声を確認することができる。
【００２６】
実際上、コンピュータ３は、編集リストの作成後又は作成途中において、その編集リストに基づく編集映像音声のプレビューモードが選択されると、これに応じた制御コマンドＣ１をシステム制御部４に送出する。
【００２７】
システム制御部４は、供給される制御コマンドＣ１に基づいて、必要に応じて対応するビデオテープレコーダ１４Ａ〜１４Ｄに制御信号Ｓ１を送出することにより当該ビデオテープレコーダ１４Ａ〜１４Ｄに編集処理に利用するクリップの映像音声を再生させる一方、必要に応じてコントロールバス１１を介してディスク制御部１０を制御することにより、編集処理に利用するクリップの映像音声をハードディスク装置２から再生させる。
【００２８】
この結果このビデオテープレコーダ１４Ａ〜１４Ｄからは指定されたクリップのアナログ映像信号Ｓ２及びアナログ音声信号Ｓ３と、ディジタル映像信号Ｓ４及びディジタル音声信号Ｓ５とが出力され、アナログ映像信号Ｓ２及びアナログ音声信号Ｓ３がそれぞれ映像入力部５又は音声入出力／ミキサ部９に与えられ、ディジタル映像信号Ｓ４及びディジタル音声信号Ｓ５がディジタル映像音声入出力部７に与えられる。
【００２９】
このときシステム制御部４は、コントロールバス１１を介して映像入力部５及び音声入出力／ミキサ部９と、ディジタル映像音声入出力部７とのうちのいずれか一方を制御することにより、ビデオテープレコーダ１４Ａ〜１４Ｄから出力されたアナログ映像信号Ｓ２及びアナログ音声信号Ｓ３と、ディジタル映像信号Ｓ４及びディジタル音声信号Ｓ５とのうちのいずれか一方のみを取り込ませる。
【００３０】
かくして映像入力部５を介してアナログ映像信号Ｓ２が取り込まれた場合には、これが映像入力部５においてディジタル変換された後ディジタル映像信号Ｓ６として映像特殊効果処理部８に与えられ、ディジタル映像音声入出力部７を介してディジタル映像信号Ｓ４が取り込まれた場合には、これがそのまま映像特殊効果処理部８に与えられる。
【００３１】
このとき映像特殊効果処理部８は、システム制御部４の制御のもとに、供給される各クリップのディジタル映像信号Ｓ６、Ｓ４を必要に応じて指定された状態に特殊効果加工処理する。また映像特殊効果処理部８は、このとき主制御部４から必要に応じて与えられるタイトル文字や各種グラフィック等の画像データを各クリップのディジタル映像信号Ｓ６、Ｓ４間に挿入し、又はディジタル映像信号Ｓ６、Ｓ４に重畳し、かくして得られたディジタル編集映像信号Ｓ８を映像出力部６に送出する。
【００３２】
そして映像出力部６は、システム制御部４の制御のもとに、供給されるディジタル編集映像信号Ｓ８をアナログ変換し、得られた編集映像信号Ｓ９をモニタ１６に送出する。
【００３３】
一方このときビデオテープレコーダ１４Ａ〜１４Ｄから出力されたアナログ音声信号Ｓ３及びディジタル音声信号Ｓ５のうち、音声入出力／ミキサ部９を介してアナログ音声信号Ｓ３が取り込まれた場合には、これが音声入出力／ミキサ部９において必要に応じてミキシング等の編集処理が施された後編集音声信号としてスピーカに送出され、ディジタル映像音声入出力部７を介してディジタル音声信号Ｓ５が取り込まれた場合には、これが音声入出力／ミキサ部９においてアナログ変換され、ミキシング等の編集処理が施された後、編集音声信号としてスピーカに送出される。
【００３４】
この結果この編集装置１においては、モニタ１６に編集映像信号Ｓ９に基づく編集映像が表示されると共にスピーカから編集音声信号に基づく編集音声が出力され、かくしてオペレータが編集リストに基づく編集映像及び編集音声を確認することができるようになされている。
【００３５】
さらにコンピュータ３は、編集リストが作成された後、マウス１３又はキーボード１５が操作されてその実行命令が入力されると、これに応じた制御コマンドＣ１をシステム制御部４に送出する。
【００３６】
システム制御部４は、供給される制御コマンドＣ１に基づいて、必要に応じて対応するビデオテープレコーダ１４Ａ〜１４Ｄに制御信号Ｓ１を送出することにより当該ビデオテープレコーダ１４Ａ〜１４Ｄに編集処理に利用するクリップの映像音声を再生させる一方、必要に応じてコントロールバス１１を介してディスク制御部１０を制御することにより、ハードディスク装置２から編集処理に利用するクリップの映像音声を再生させる。
【００３７】
この結果上述のプレビューモード時と同様にして、映像特殊効果処理部８に、ビデオテープレコーダ１４Ａ〜１４Ｄから映像入力部５若しくはディジタル映像音声入出力部７を経由して必要なクリップのディジタル映像信号Ｓ６、Ｓ４が与えられ、又はハードディスク装置２からディスク制御部１０を経由して必要なクリップのディジタル映像信号Ｓ６、Ｓ４が与えられる。
【００３８】
またこのとき音声入出力／ミキサ部９には、ビデオテープレコーダ１４Ａ〜１４Ｄから直接若しくはディジタル映像音声入出力部７を経由して必要なクリップのアナログ音声信号Ｓ３若しくはディジタル音声信号Ｓ５が与えられ、又はハードディスク装置２からディスク制御部１０を経由して必要なクリップのディジタル音声信号Ｓ７、Ｓ５が与えられる。
【００３９】
そして映像特殊効果処理部８は、システム制御部４の制御のもとに、上述のプレビューモード時と同様にして、供給される各クリップのディジタル映像信号Ｓ６、Ｓ４を必要に応じて特殊効果加工処理し、かくして得られた編集映像の映像信号でなるディジタル編集映像信号Ｓ８を映像出力部６に送出する。
【００４０】
このとき映像出力部６は、システム制御部４の制御のもとに、供給されるディジタル編集映像信号Ｓ８をアナログ変換し、得られた編集映像信号Ｓ９を対応するビデオテープレコーダ１４Ａ〜１４Ｄに送出する。
【００４１】
またこのとき音声入出力／ミキサ部９は、システム制御部の制御のもとに、上述のプレビューモード時と同様にして、供給される各クリップのアナログ音声信号Ｓ２又はディジタル音声信号Ｓ５、Ｓ７に対して必要に応じてミキシング等の編集処理を施し、かくして得られた編集音声信号Ｓ１０を対応するビデオテープレコーダ１４Ａ〜１４Ｄに送出する。
【００４２】
このときこのビデオテープレコーダ１４Ａ〜１４Ｄには、システム制御部４から制御信号Ｓ１が与えられており、かしくて当該ビデオテープレコーダ１４Ａ〜１４Ｄは、この制御信号Ｓ１に基づいて、これら映像出力部６から供給される編集映像信号Ｓ９と、音声入出力／ミキサ部９から供給される編集音声信号Ｓ１０とをビデオテープの指定された位置に記録する。
【００４３】
このようにしてこの編集装置１では、作成された編集リストに従って指定されたクリップの映像音声を指定された状態に編集加工してビデオテープに記録することができるようになされている。
【００４４】
（２）制御用コンピュータの構成
ここでコンピュータ３は、図２に示すように、ＣＰＵ（Central Processing Unit ）２０、ＲＯＭ（Read Only Memory）２１、ＲＡＭ（Random Access Memory）２２、表示処理部２３、タイトル／グラフィック生成部２４及びインターフェース回路２５、２６がＣＰＵバス２７を介して接続されることにより構成されており、各インターフェース回路２５、２６をそれぞれ介してマウス１３及びキーボード１５と接続されている。
【００４５】
この場合ＣＰＵ２０は、例えばマウス１３やキーボード１５が操作されることにより所定処理の実行命令がインターフェース回路２５、２６を介して与えられると、ＲＯＭ２１に格納されたプログラムに基づいて、必要に応じてシステム制御部４に制御コマンドＣ１を送出することにより、当該システム制御部４を介して各ビデオテープレコーダ１４Ａ〜１４Ｄ、映像入出力部５、映像出力部６、ディジタル映像音声入出力部７、映像特殊効果処理部８、音声入出力／ミキサ部９及びディスク制御部１０に所定動作を実行させるようになされ、これにより編集装置１全体として上述したような各種処理を実行させるようになされている。
【００４６】
またこのときＣＰＵ２０は、ＲＯＭ２１に格納されたプログラムに基づいて、必要に応じてＲＯＭ２１内に格納された画像データを読み出し、これを表示処理部２３を介してディスプレイ１２に与えることにより、後述のようなメイン画面やウィンドウを表示させる一方、マウス操作に応動してメイン画面内を移動するカーソルや、キーボード１５を介して入力された数字や文字などをディスプレイ１２に表示させ、かつ映像特殊効果処理部８からタイトル／グラフィック生成部２４を介して表示処理部２３に与えられるディジタル映像信号Ｓ６、Ｓ４に基づく映像や静止画像をメイン画面内の所定位置に表示させるようになされている。
【００４７】
さらにＣＰＵ２０は、ＲＯＭ２１に格納されたプログラムに基づいて、必要時にはタイトル／グラフィック生成部２４を制御してタイトル文字やグラフィックの画像データを生成させてこれを映像特殊効果処理部８に送出させるようになされている。
【００４８】
（３）クリップの登録操作
ここで実際上ＣＰＵ２０は、電源が投入された立ち上がり時、ＲＯＭ２１に格納されているプログラムに基づいて、まず図３に示すようなメイン画面３０をディスプレイに表示させる。
【００４９】
この場合このメイン画面３０には、オペレータが所望する処理内容を選択するための複数のボタン３１Ａ〜３１Ｑと、登録された各クリップのイン点の静止画（以下これをスタンプ画と呼ぶ）を表示するためのクリップ表示部３２と、編集リスト作成時における各種処理を指定するための複数のボタン３３Ａ〜３３Ｚ及び３４Ａと、編集リストを作成するための編集リスト作成部３５とが設けられている。
【００５０】
そしてオペレータは、このメイン画面３０がディスプレイ１２に表示された状態において、マウス操作により画面上段のビデオクリップエディットボタン３１Ｋを選択することにより、図４のようなウィンドウ（以下、これをビデオクリップエディットウィンドウと呼ぶ）４０をメイン画面３０上に重ねて表示させることができる。
【００５１】
この場合ビデオクリップエディットウィンドウ４０では、画面の左側上段に各ビデオテープレコーダ１４Ａ〜１４Ｄにそれぞれ対応させてソース選択ボタン４１Ａ〜４１Ｄが複数表示されており、マウス操作によりこれらソース選択ボタン４１Ａ〜４１Ｄのうちのいずれかを選択することにより所望の１台のビデオテープレコーダ１４Ａ〜１４Ｄ（図１）を選択することができる。
【００５２】
そしていずれかのソース選択ボタン１４Ａ〜１４Ｄを選択した後、マウス操作によりビデオクリップエディットウィンドウ４０内に表示されたいずれかのビデオ操作用ボタン４２Ａ〜４２Ｇを選択することによって、選択したビデオテープレコーダ１４Ａ〜１４Ｄに選択したビデオ操作用ボタン４２Ａ〜４２Ｇに応じた動作を実行させることができる。なおこのようなビデオテープレコーダ１４Ａ〜１４Ｄの操作は、スライダ４３を用いても行うことができる。
【００５３】
そしてこのときビデオテープレコーダ１４Ａ〜１４Ｄに再生動作や変速再生動作を実行させた場合、当該ビデオテープレコーダ１４Ａ〜１４Ｄによりビデオテープから再生された映像がこのビデオクリップエディットウィンドウ４０内のライブ映像表示部４４内に表示される。
【００５４】
かくしてオペレータは、このライブ映像表示部４４内に表示された映像を目視確認しながらイン点指定用ボタン４５又はアウト点指定用ボタン４６をクリックすることによってクリップとして登録しようとする映像部分のイン点及びアウト点を指定することができ、このとき指定されたイン点及びアウト点の画像がそれぞれイン点画像表示部４７又はアウト点画像表示部４８内に表示される。
【００５５】
またこのときイン点又はアウト点として指定された各画像のビデオテープにおけるタイムコードがそれぞれイン点タイムコード表示部４９又はアウト点タイムコード表示部５０にそれぞれ表示され、指定されたクリップの素材長（デュレーション）がデュレーション表示部５１に表示される。
【００５６】
なおこのビデオクリップエディットウィンドウ４０では、マウス操作によりコマ送りボタン５１、５２をクリックすることによって、ライブ映像表示部４４内に表示された映像を順方向又は逆方向にコマ送り表示させることができ、またライブ映像移動ボタン５３、５４を選択することによって、ライブ映像表示部４４内に表示された画像をイン点又はアウト点まで移動させることができる。
【００５７】
そして上述のようにしてクリップのイン点及びアウト点を指定した後、マウス操作により登録ボタン５５をクリックすることによりこのクリップを登録することができる。実際上このときこのクリップのイン点及びアウト点のタイムコード等の関連データがＣＰＵ２０によりＲＡＭ２２に取り込まれる。そしてこのようにして登録されたクリップのスタンプ画及びそのタイムコードや素材長等が図５に示すようにメイン画面３０のクリップ表示部３２内に表示される。
【００５８】
またこのとき例えばビデオクリップエディットウィンドウ４０のモアボタン５６を選択することによって開くことのできる図示しない設定画面上で予め取込みモードを選択しておくことによって、このクリップの映像音声を上述のようにしてハードディスク装置２に取り込むことができる。この場合このクリップの映像信号及び音声信号は、指定された範囲よりも前後所定期間分（例えば２秒分）だけ余分にハードディスク装置２に取り込まれる。
【００５９】
さらにこのとき例えば上述の設定画面上で予めリンクモード又はアンリンクモードのいずれかを選択することによって、映像と音声をリンクさせて又はリンクさせないでハードディスク装置２に取り込ませることができる。
【００６０】
そしてこの後マウス操作によりニューエディットボタン５７をクリックすることによってこのビデオクリップエディットウィンドウ４０を初期状態に戻すことができる。これによりオペレータは、この後上述と同様の手順により他のクリップを順次登録することができる。
【００６１】
またこのビテオクリップエディットウィンドウ４０では、マウス操作によりクローズボタン５８をクリックすることによって、当該ビテオクリップエディットウィンドウ４０を閉じることができる。
【００６２】
一方オペレータは、上述のようにしてメイン画面３０のクリップリスト表示部３２に登録されたクリップのリストが表示された状態（図５）において、このメイン画面３０の編集リスト作成部３５を利用して以下の方法により編集リストを作成することができる。
【００６３】
（４）編集リストの作成
オペレータは、上述のようにしてメイン画面３０のクリップ表示部３２に複数のクリップを登録した状態（図５）において、編集を実行させるための編集データである編集リストを、編集作業を実際に実行する前にメイン画面３０のタイムラインウィンドウと呼ばれる編集リスト作成部３５において作成する。
【００６４】
すなわち、編集リスト作成部３５において、オペレータはまず、ソース選択表示部７１に表示された複数のタイムライントラック（第１のビデオトラック３５Ｃ、第２のビデオトラック３５Ｅ、第１のオーディオトラック３５Ｇ及び第２のオーディオトラック３５Ｈ）に対応するソース選択ボタン７１Ａ〜７１Ｄのいずれかをマウス操作によってクリックすることにより、編集リストを作成する際にクリップを貼り付け得る直接編集可能なタイムライントラックを指定する。
【００６５】
この場合、例えばオペレータがマウス操作によって第１のビデオトラック３５Ｃ及び第１のオーディオトラック３５Ｇに対応したソース選択ボタン７１Ａ及び７１Ｃを選択すると、図５に示すように、ＧＵＩはソース選択表示部７１のソース選択ボタン７１Ａ及び７１Ｃに矢印を表示し、これにより第１のビデオトラック３５Ｃ及び第１のオーディオトラック３５Ｇが直接編集可能なトラックとして選択されたことをオペレータに示す。
【００６６】
因みに、編集リスト作成部３５においては、グループトラック選択表示部７２によって、編集リストを作成する際に互いに対となるトラックを予め設定することができる。この場合、オペレータがマウス操作によりグループトラック選択表示部７２に表示されたトラック選択ボタンのなかから所望の２つの選択ボタンをクリックすることにより、ＧＵＩは当該クリックされた２つのトラックが対をなすように設定する。
【００６７】
従って、例えば図５に示すように、第１のビデオトラック３５Ｃ及び第１のオーディオトラック３５Ｇを一対のトラックとして設定すると、ＧＵＩはグループトラック選択表示部７２の対応する選択ボタンにそれぞれ第１のグループであることを表す「１」を表示する。そして、このようにしてグループ設定されたトラックに対してオペレータがそのいずれか（例えば第１のビデオトラック３５Ｃ）をソース選択表示部７１によって選択すると、ＧＵＩはこのとき同じグループとして対をなす他方のトラック（例えば第１のオーディオトラック３５Ｇ）もクリップの貼り付けトラックとして選択するようになされている。
【００６８】
かくしてソース選択表示部７１によってクリップを貼り付けるトラックが選択されると、オペレータは当該選択されたトラックに対するクリップの貼り付け作業を行う。すなわち、まずオペレータはマウス操作によりクリップ表示部３２内の所望のクリップのスタンプ画にカーソルを合わせた後、マウス１３のボタンを押下するようにして１つのクリップを指定し、その状態のままカーソルを、編集リスト作成部３５のタイムラインスケール３５Ａを指標として、第１のビデオトラック３５Ｃの所望位置に移動させた後、マウス１３のボタンを放す。
【００６９】
この場合、予めオペレータの操作によって第１のビデオトラックがクリップを貼り付けるトラックとして設定されていることにより、図６に示すように、ＧＵＩはオペレータがマウス１３によって選択したクリップの長さに応じた長さの枠５０Ａ（図６）をそのクリップを表す番号（例えば「Bin01-008 」) と共に第１のビデオトラック３５Ｃに貼り付けるように表示する。
【００７０】
また、このとき予めオペレータによって第１のオーディオトラック３５Ｇがクリップの貼り付けトラックとして設定されていることにより、ＧＵＩは第１のビデオトラック３５Ｃへのクリップの貼り付けに応じて第１のオーディオトラック３５Ｇにクリップを貼り付ける。これにより、第１のオーディオトラック３５Ｇには第１のビデオトラック３５Ｃに貼り付けられたクリップと同じ長さの枠５２Ａがそのクリップを表す番号（例えば「Bin01-008 」) と共に表示される。
【００７１】
このようにＧＵＩは、オペレータがマウス１３によって指定したクリップを表す枠５０Ａ及び５２Ａを編集リスト作成部３５のタイムラインに貼り付けると、これに対応して当該タイムライントラックの上部に設けられたクリップ画表示部６０にこのときタイムライントラックに貼り付けられたクリップに対応するクリップを表すスタンプ画６０Ａを表示する。これによりオペレータは当該スタンプ画を見ることによってタイムライントラック上に貼り付けられたクリップの内容を容易に確認することができる。
【００７２】
以下同様にして、ＧＵＩは各タイムライントラック（第１のビデオトラック３５Ｃ、第２のビデオトラック３５Ｅ、第１のオーディオトラック３５Ｇ及び第２のオーディオトラック３５Ｈ）に対して、オペレータがマウス１３の操作によって指定したクリップを表す枠５０Ａ〜５０Ｄ、５１Ａ〜５１Ｂ、５２Ａ〜５２Ｃ及び５３Ａ〜５３Ｂ）をオペレータのマウス操作に応じて貼り付けて行く。
【００７３】
因みに、タイムライントラックの一つとして設けられている特殊効果用トラック３５Ｄは、第１のビデオトラック３５Ｃ及び第２のビデオトラック３５Ｅに貼り付けられたクリップに対して種々の特殊効果を指定するトラックであり、例えば図６に示す特殊効果表示６５は、第１のビデオトラック３５Ｃに貼り付けられたクリップ５０Ｂから第２のビデオトラック３５Ｅに貼り付けられたクリップ５１Ａに画面が徐々に移行することを指定するものである。
【００７４】
このように、編集リスト作成部３５に対してクリップ及び特殊効果が指定された状態（図６）において、オペレータはマウス１３を操作することにより、一旦作成された編集リスト作成部３５の編集リストに対して所望のクリップの挿入又は削除といった種々の編集を行うことができる。
【００７５】
この場合、オペレータはマウス１３を操作してトラック表示部７０に表示される複数トラックのうち、編集作業の効果を反映させるトラックを複数選択することができる。すなわち、オペレータはマウス１３の操作により例えば第１及び第２のビデオトラック３５Ｃ及び３５Ｅに対応するトラック表示部７０の表示欄をクリックすると、ＧＵＩは当該クリックされた表示欄をビテオトラックの専用色である青色に変化させると同時に、当該表示欄に対応する第１及び第２のビデオトラック３５Ｃ及び３５Ｅを青色に変化させる。そして、ＧＵＩはこの状態において、オペレータが編集作業を行った際に第１及び第２のビデオトラック３５Ｃ及び３５Ｅに貼り付けられている各クリップをその編集作業に応動して貼り付け位置を変化させる。
【００７６】
またオーディオトラックにおいても同様にして、オペレータがマウス１３の操作により例えば第１及び第２のオーディオトラック３５Ｇ及び３５Ｈに対応するトラック表示部７０の表示欄をクリックすると、ＧＵＩは当該クリックされた表示欄をオーディオトラックの専用色である黄色に変化させると同時に、当該表示欄に対応する第１及び第２のオーディオトラック３５Ｇ及び３５Ｈを黄色に変化させる。そして、ＧＵＩはこの状態において、オペレータが編集作業を行った際に第１及び第２のオーディオトラック３５Ｇ及び３５Ｈに貼り付けられている各クリップをその編集作業に応動して貼り付け位置を変化させる。因みに第１及び第２のオーディオトラック３５Ｇ及び３５Ｈのいずれかがグループトラック選択表示部７２においてビデオトラック３５Ｃ又は３５Ｅのいずれかと対をなしている場合、当該対をなすビデオトラックへのクリップの貼り付け又は削除に応じて同様のクリップが挿入又は削除されるようになされている。
【００７７】
従って、例えは図６に示す状態において、第１のビデオトラック３５Ｃに所望のクリップが貼り付けられると、当該ビデオトラック３５Ｃと対をなす第１のオーディオトラック３５Ｇにも同様のクリップが同様の位置に貼り付けられる。
【００７８】
そして、このとき第１のビデオトラック３５Ｃ及び第２のビデオトラック３５Ｅ並びに第１のオーディオトラック３５Ｇ及び第２のオーディオトラック３５Ｈに既に他のクリップが貼り付けられ、さらにトラック表示部７０に表示される複数トラックのうち、編集作業の効果を反映させるトラックとして第１及び第２のビデオトラック３５Ｃ及び３５Ｅ並びに第１及び第２のオーディオトラック３５Ｇ及び３５Ｈが選択トラックとして選択されていると、ＧＵＩは、第１のビデオトラック３５Ｃ及び第１のオーディオトラック３５Ｇへのクリップの貼り付けに応じて、第１及び第２のビデオトラック３５Ｃ及び３５Ｅ並びに第１及び第２のオーディオトラック３５Ｇ及び３５Ｈの各クリップを移動させる。
【００７９】
ここで、図７はクリップの挿入を行う編集処理手順を示し、ＧＵＩはメイン画面３０のクリップ表示部３２にオペレータの操作によって複数のクリップを登録すると共に、図６に示すように既に複数のクリップが貼り付けられた状態において、ステップＳＰ１０から編集処理手順に入り、続くステップＳＰ１１においてオペレータのマウス操作によるクリップの挿入命令を待ち受ける。
【００８０】
そして、オペレータがマウス１３を操作して登録クリップから所望のクリップを選択してタイムライントラックに貼り付け操作を行うと、ＧＵＩはステップＳＰ１２に移って、当該操作されたタイムライントラックがソース選択表示部７１によって直接編集可能トラックとして設定されているか否かを判断する。
【００８１】
ここで肯定結果が得られると、このことはオペレータがクリップを貼り付けようとするタイムライントラックが直接編集可能なトラックとして設定されていることを表しており、このときＧＵＩはステップＳＰ１３に移ってこのときオペレータによって指定されたクリップをオペレータの操作に従ってタイムライントラックに貼り付ける。このとき、ＧＵＩは当該クリップが貼り付けられたタイムラインに既に存在する他のクリップのうち、新たにクリップが貼り付けられる位置以降に存在するクリップを新たに貼り付けられるクリップの長さだけ後方に移動させることにより、新たなクリップの挿入を行った後、続くステップＳＰ１４に移る。
【００８２】
これに対してステップＳＰ１２において否定結果が得られると、このことは新たなクリップを貼り付けようとするタイムライントラックがソース選択表示部７１において直接編集可能トラックとして選択されていないことを表しており、このときＧＵＩはこのときオペレータによって挿入トラックとして指定されたトラックへの新たなクリップの挿入を行わず、ステップＳＰ１４に移って選択トラックが設定されているか否かを判断する。
【００８３】
ここで肯定結果が得られると、このことはオペレータが直接編集可能トラックの編集作業に反映される選択トラックを予め設定していることを表しており、このときＧＵＩはステップＳＰ１５に移って、選択トラックとして設定されているトラックにこのとき直接編集可能トラックに対して貼り付けようとしている挿入クリップと同じ長さのブランクを挿入クリップの挿入位置に挿入し、ステップＳＰ１６において処理を終了する。
【００８４】
またステップＳＰ１４において否定結果が得られると、このことは直接編集可能トラックの編集作業に反映される選択トラックが予め設定されていないことを表しており、このときＧＵＩはステップＳＰ１６に移って当該処理手順を終了する。
【００８５】
かくして図７のクリップ挿入手順によれば、直接編集可能トラックと選択トラックとを予め設定しておくことにより、オペレータが所望のクリップを直接編集可能トラックに挿入すると、これに応じて選択トラックのクリップも移動することにより、直接編集可能トラック及び選択トラックの各クリップの相対関係が保持される。
【００８６】
これに対して、メイン画面の編集リスト作成部３５においてオペレータによってタイムライントラック上を前後方向に移動可能なタイムラインカーソル６７（図６）を利用してタイムライン上へのクリップの挿入を行う場合、ＧＵＩは図８に示すクリップの挿入処理手順を実行する。
【００８７】
すなわち、ＧＵＩはメイン画面３０のクリップ表示部３２にオペレータの操作によって複数のクリップを登録すると共に、図６に示すように既に複数のクリップが貼り付けられた状態において、オペレータがマウス１３を操作して登録クリップから所望のクリップを選択すると共に編集リスト作成部３５上に設けられたクリップ貼り付けボタン３３Ｊをクリックすると、ＧＵＩは図８のステップＳＰ２０から編集処理手順に入り、続くステップＳＰ２１においてタイムラインカーソル６７を用いたクリップの貼り付け処理を開始する。
【００８８】
そして、ＧＵＩはステップＳＰ２２において、このときソース選択表示部７１において直接編集可能トラックとして選択されているクリップの貼り付けトラック（例えば図６において第１のビデオトラック３５Ｃ）においてタイムラインカーソル６７上に既に他のクリップがあるか否かを判断する。
【００８９】
ここで肯定結果が得られると、このことはタイムラインカーソル６７によってクリップの挿入位置として指定されている場所が既に貼り付けられているクリップの一部であることを表しており、このときＧＵＩはステップＳＰ２３に移って、タイムラインカーソル６７に重なっているクリップを当該タイムラインカーソル６７の位置で分割し、続くステップＳＰ２４に移る。
【００９０】
これに対してステップＳＰ２２において否定結果が得られると、このことはタイムラインカーソル６７が直接編集可能トラック（第１のビテオトラック３５Ｃ）上の既存のクリップに重なっていないことを表しており、このときＧＵＩはステップＳＰ２４に移る。
【００９１】
ステップＳＰ２４においてＧＵＩは、このとき直接編集可能トラック（第１のビデオトラック３５Ｃ）に貼り付けようとするクリップの素材長をコンピュータ３（図１）のＲＡＭ２２（図２）から読み出し、さらに続くステップＳＰ２５においてタイムラインカーソル６７以降のクリップ全てを当該素材長分だけ後ろに移動させる。
【００９２】
そしてＧＵＩはステップＳＰ２６に移って、ステップＳＰ２５において形成されたタイムラインカーソル６７の直後のブランクにこのとき貼り付けようとするクリップを貼り付け、続くステップＳＰ２７において当該クリップの挿入処理を終了する。
【００９３】
かくして図６に示す編集リスト作成部３５において第１のビデオトラック３５Ｃのタイムラインカーソル６７の位置に対して図８に示す処理手順によって新たなクリップが挿入されると、図９に示すように、新たなクリップを表す新たな枠５０Ｅが挿入され、挿入前においてタイムラインカーソル６７の位置以降に存在した各クリップを表す枠５０Ｂ、５０Ｃ及び５０Ｄはそれぞれ新たなクリップの枠５０Ｅの長さ分だけ後ろに移動する。この結果第１のビデオトラック３５Ｃ上において新たに挿入されたクリップ以降の各クリップの関係が挿入前と同様に保持されることになる。
【００９４】
因みに、図９においては、第１のビデオトラック３５Ｃに対応して第１のオーディオトラック３５Ｇが直接編集可能トラックとして選択されていることにより、第１のビデオトラック３５Ｃに対する新たなクリップの挿入に応じて第１のオーディオトラック３５Ｇにおいても同様の挿入処理が実行され、新たなクリップの枠５２Ｅが挿入される。
【００９５】
また、図９においては、第２のビデオトラック３５Ｅ及び第２のオーディオトラック３５Ｈが第１のビデオトラック３５Ｃ及び第１のオーディオトラック３５Ｇの編集結果を反映するように設定されていることにより、第２のビデオトラック３５Ｅ及び第２のオーディオトラック３５Ｈのタイムラインカーソル６７の位置以降のクリップも、第１のビデオトラック３５Ｃ及び第１のオーディオトラック３５Ｇに挿入された新たなクリップの長さ分だけ後ろに移動され、これにより第１及び第２のビデオトラック３５Ｃ及び３５Ｅ並びに第１及び第２のオーディオトラック３５Ｇ及び３５Ｈの各トラックにおいて新たに挿入されたクリップ以降の各クリップの相対関係が保持される。
【００９６】
因みに、図１０に示すようにタイムラインカーソル６７が既存のクリップの枠５０Ａ及び５２Ａに重なっている場合には、図８について上述した挿入処理手順によって、図１１に示すように枠５０Ａ及び５２Ａはタイムラインカーソル６７の位置で分離され、当該分離された位置に新たなクリップの枠５０Ｅ及び５２Ｅが挿入される。この場合においても、挿入されたクリップ以降の各クリップは挿入分だけ後ろに移動する。
【００９７】
次に、メイン画面の編集リスト作成部３５においてオペレータによってタイムライントラック上の既存のクリップを削除する場合について説明する。この場合、ＧＵＩは図１２に示すクリップの削除処理手順を実行するようになされている。
【００９８】
すなわち、ＧＵＩは図６に示すようにメイン画面３０の編集リスト作成部３５に既に複数のクリップが貼り付けられた状態において、オペレータがマウス１３を操作して所望のクリップを選択すると共に編集リスト作成部３５の上部に設けられたデリートボタン３３Ｌをクリックすると、ＧＵＩは図１２のステップＳＰ３０から編集処理手順に入り、続くステップＳＰ３１においてクリップの削除処理を開始する。
【００９９】
そして、ＧＵＩはステップＳＰ３２において、このとき指定された削除クリップの素材長をコンピュータ３のＲＡＭ２２から読み出した後、続くステップＳＰ３３において削除クリップをタイムライントラックから削除する。
【０１００】
タイムライントラックから指定されたクリップの枠が削除されると、ＧＵＩはステップＳＰ３４に移って削除クリップ以降の全てのクリップを全て移動クリップとして選択する。このとき、編集作業の結果が反映される選択トラックが指定されている場合、ＧＵＩは当該選択トラックにおいて削除クリップの位置以降に存在する全てのクリップも移動クリップとして選択する。
【０１０１】
そしてＧＵＩはステップＳＰ３５に移って、ステップＳＰ３４において選択した移動クリップを全て削除クリップの素材長分だけ前方に移動させ、続くステップＳＰ３６において当該削除処理手順を終了する。
【０１０２】
かくして図６に示すメイン画面において、例えばソース選択トラックとして選択されている第１のビデオトラック３５Ｃ及び第１のオーディオトラック３５Ｇの第１のクリップ（５０Ａ、５２Ａ）が選択されると、図１３に示すように、当該クリップの枠５０Ａ及び５２Ａが削除されると共に、当該第１のビデオトラック３５Ｃ及び第１のオーディオトラック３５Ｇの後続の各トラックの枠５０Ｂ〜５０Ｄ及び５２Ｂ〜５２Ｄ並びに編集作業を反映するように指定されている第２のビデオトラック３５Ｅ及び第２のオーディオトラック３５Ｈの各クリップの枠５１Ａ〜５１Ｂ及び５３Ａ〜５３Ｂがそれぞれ前方に移動する。
【０１０３】
これにより、編集作業の結果が反映されるように指定された全てのタイムライントラックのクリップがそれぞれの相対関係を保持する。
【０１０４】
ここで、図６に示すメイン画面の編集リスト作成部３５において、ＧＵＩはマークインマーク１０１及びマークアウトマーク１０２を用いることにより、マークイインマーク１０１及びマークアウトマーク１０２によって指定された範囲内に限った編集リストの編集を行うようになされている。
【０１０５】
すなわち図１４において、オペレータがタイムラインカーソル６７を任意の位置に移動させ、マークインボタン３３Ｎをクリックすると、ＧＵＩはタイムラインカーソル６７の位置にマークインマーク１０１を設定する。また、オペレータがタイムラインカーソル６７を任意の位置に移動させ、マークインボタン３３Ｏをクリックすると、ＧＵＩはタイムラインカーソル６７の位置にマークアウトマーク１０２を設定する。
【０１０６】
また、タイムライントラック上の任意のクリップにカーソルを合わせてマーククリップボタン３３Ｐをクリックすることにより、ＧＵＩはクリップのイン点及びアウト点にマークインマーク１０１及びマークアウトマーク１０２を設定する。
【０１０７】
かかるマークインマーク１０１及びマークアウトマーク１０２はタイムライン上に１つずつのみ設定可能となっており、これによりタイムライントラック上に唯一定まるマークインマーク１０１及びマークアウトマーク１０２を用いて編集操作を行うことができる。
【０１０８】
これらのマークインマーク１０１及びマークアウトマーク１０２は、クリアマークボタン３３Ｒをクリック操作することにより消去することができ、また、オペレータがマウス１３のカーソルをマークインマーク１０１又はマークアウトマーク１０２の一方に合わせてこれをクリックしながら移動させることにより、マークインマーク１０１又はマークアウトマーク１０２はその位置をマウスカーソルの移動に伴って移動し、さらにマークインマーク１０１及びマークアウトマーク１０２の両方が設定されている状態においてオペレータがマウスカーソルをその一方に合わせてクリックしながら移動させることにより、マークインマーク１０１及びマークアウトマーク１０２はその間隔を一定に保ちながらタイムスケール上をマウスカーソルの移動に伴って移動する。
【０１０９】
ＧＵＩは、このようにして設定されたマークインマーク１０１及びマークアウトマーク１０２のそれぞれのタイムコード情報及びマーク間の間隔を、タイムライントラックの下部に設けられたステータスバー１０３に表示する。
【０１１０】
ここで、マークインマーク１０１及びマークアウトマーク１０２を用いた編集処理手順を図１５に示す。すなわち、図１４に示すようにメイン画面３０において、オペレータがマウス１３を操作してクリップ表示部３２に登録済のいずれかのクリップを選択し、これを編集リスト作成部３５に貼り付ける指定を行うと、ＧＵＩは、図１５に示すステップＳＰ４０から編集処理手順に入ると共に、続くステップＳＰ４１においてクリップの貼り付け処理を開始する。
【０１１１】
そしてＧＵＩはステップＳＰ４２に移り、編集リスト作成部３５にタイミングマークが存在するか否かを判断する。ここで、タイミングマークとはマークインマーク１０１及びマークアウトマーク１０２の両方が設定されている場合にマークインマーク１０１又はマークアウトマーク１０２のいずれかに設定されるその優先度を表すマークであり、例えばオペレータがマークインボタン３３Ｎをダブルクリックすることにより、図１４に示すように、ＧＵＩはマークインマーク１０１と共にタイミングマーク１０５を表示する。因みに、マークインマーク１０１又はマークアウトマーク１０２のいずれか一方のみが設定されている場合には、ＧＵＩは当該設定されたマークインマーク１０１又はマークアウトマーク１０２をタイミングマーク１０５と見なすようになされている。
【０１１２】
このように、マークインマーク１０１にタイミングマーク１０５が付されている場合、ＧＵＩは図１５のステップＳＰ４２からステップＳＰ４３に移り、当該タイミングマーク１０５が付されたマークインマーク１０１の時間位置とこのときタイムライントラックに貼り付けようとするクリップのイン点の時間位置とが一致するようにクリップを貼り付ける。
【０１１３】
これに対して、マークアウトマーク１０２にタイミングマーク１０５が付されている場合、ＧＵＩは図１５のステップＳＰ４２からステップＳＰ４４に移り、当該タイミングマーク１０５が付されたマークアウトマーク１０２の時間位置とこのときタイムライントラックに貼り付けようとするクリップのアウト点の時間位置とが一致するようにクリップを貼り付ける。
【０１１４】
またこれに対して、タイミングマーク１０５が設定されていない場合、ＧＵＩはステップＳＰ４５に移って、タイムラインカーソル６７の位置とこのときタイムライントラックに貼り付けようとするクリップのイン点の時間位置とが一致するようにクリップを貼り付けた後、ステップＳＰ４９において当該処理手順を終了する。
【０１１５】
ステップＳＰ４３又はステップＳＰ４４においてクリップをそのイン点又はアウト点がタイミングマーク１０５と一致するようにタイムライントラックに貼り付けられると、ＧＵＩはステップＳＰ４６に移って、編集リスト作成部３５にタイミングマーク１０５ではないマーク（すなわちタイミングマーク１０５を有しないマークインマーク１０１又はマークアウトマーク１０２）が存在するか否かを判断する。
【０１１６】
ここで、タイミングマーク１０５を有しないマークインマーク１０１が存在する場合、ＧＵＩはステップＳＰ４４からステップＳＰ４６を介してステップＳＰ４７に移ることになる。この場合、マークアウトマーク１０２にタイミングマーク１０５が付されており、ステップＳＰ４４において当該マークアウトマーク１０２の時間位置にクリップのアウト点を一致させるように当該クリップをタイムライントラックに貼り付けると共に、ステップＳＰ４７においてマークインマーク１０１の時間位置にクリップのイン点が一致するように当該クリップの長さを調整する。かくしてタイミングマーク１０５が付されたマークアウトマーク１０２とタイミングマーク１０５を有しないマークインマーク１０１との間にクリップが挿入される。
【０１１７】
これに対して、タイミングマーク１０５を有しないマークアウトマーク１０２が存在する場合、ＧＵＩはステップＳＰ４３からステップＳＰ４６を介してステップＳＰ４８に移ることになる。この場合、マークインマーク１０１にタイミングマーク１０５が付されており、ステップＳＰ４３において当該マークインマーク１０１の時間位置にクリップのイン点を一致させるように当該クリップをタイムライントラックに貼り付けると共に、ステップＳＰ４８においてマークアウトマーク１０２の時間位置にクリップのアウト点が一致するように当該クリップの長さを調整する。かくしてタイミングマーク１０５が付されたマークインマーク１０１とタイミングマーク１０５を有しないマークアウトマーク１０２との間にクリップが挿入される。
【０１１８】
また、ステップＳＰ４６においてタイミングマーク１０５が付されていないマークが存在しない場合、ＧＵＩはステップＳＰ４９に移って当該処理手順を終了する。
【０１１９】
このようにして、図１５に示すクリップの挿入処理手順によれば、マークインマーク１０１及びマークアウトマーク１０２の両方が設定されている場合において、マークインマーク１０１にタイミングマーク１０５が付されていると、ＧＵＩは挿入しようとするクリップのイン点をマークインマーク１０１の時間位置に合わせると共に、そのアウト点をマークアウトマーク１０２に合わせるように当該クリップの長さを調整することにより、マークインマーク１０１及びマークアウトマーク１０２の間にクリップを正しく挿入することができる。
【０１２０】
また、マークインマーク１０１及びマークアウトマーク１０２の両方が設定されている場合において、マークアウトマーク１０２にタイミングマーク１０５が付されていると、ＧＵＩは挿入しようとするクリップのアウト点をマークアウトマーク１０２の時間位置に合わせると共に、そのイン点をマークインマーク１０１に合わせるように当該クリップの長さを調整することにより、マークインマーク１０１及びマークアウトマーク１０２の間にクリップを正しく挿入することができる。
【０１２１】
因みに、マークインマーク１０１及びマークアウトマーク１０２の両方が設定されていると共にマークインマーク１０１にタイミングマーク１０５が付されている場合であっても、マークインマーク１０１の時間位置よりもマークアウトマーク１０２の時間位置の方が前方に存在する場合、ＧＵＩは挿入しようとするクリップのイン点をマークインマーク１０１に合わせるように当該クリップをタイムライントラックに挿入する。この場合、挿入しようとするクリップの長さは予めクリップ表示部３２に登録されている長さを維持することになる。
【０１２２】
また、マークインマーク１０１及びマークアウトマーク１０２の両方が設定されていると共にマークアウトマーク１０２にタイミングマーク１０５が付されている場合であっても、マークインマーク１０１の時間位置よりもマークアウトマーク１０２の時間位置の方が前方に存在する場合、ＧＵＩは挿入しようとするクリップのアウト点をマークアウトマーク１０２に合わせるように当該クリップをタイムライントラックに挿入する。この場合、挿入しようとするクリップの長さは予めクリップ表示部３２に登録されている長さを維持することになる。
【０１２３】
これに対して、マークインマーク１０１のみが設定されている場合、ＧＵＩは当該設定されているマークインマーク１０１の時間位置に挿入しようとするクリップのイン点を合わせるように当該クリップをタイムライントラックに貼り付ける。この場合、挿入しようとするクリップの長さは予めクリップ表示部３２に登録されている長さを維持することになる。
【０１２４】
また、マークアウトマーク１０２のみが設定されている場合、ＧＵＩは当該設定されているマークアウトマーク１０２の時間位置に挿入しようとするクリップのアウト点を合わせるように当該クリップをタイムライントラックに貼り付ける。この場合、挿入しようとするクリップの長さは予めクリップ表示部３２に登録されている長さを維持することになる。
【０１２５】
さらに、マークインマーク１０１の時間位置よりもマークアウトマーク１０２の時間位置の方が後方に存在する場合において、オペレータが編集リスト作成部３５の上部に表示されたプレビューボタン３３Ｐをクリックすることにより、ＧＵＩはマークインマーク１０１及びマークアウトマーク１０２間のクリップのみをモニタに再生することができる。
【０１２６】
そして、オペレータが消去ボタン３３Ｒをクリックすることにより、ＧＵＩは編集リスト作成部３５に設定されたマークインマーク１０１及びマークアウトマーク１０２を消去する。
【０１２７】
次に、編集リスト作成部３５に既に複数のクリップが貼り付けられた状態において、クリップの長さを調整する処理（トリム調整処理）を説明する。
【０１２８】
オペレータは、図６について上述したメイン画面の編集リスト作成部３５の直接編集可能トラックとして指定されている第１のビテオトラック３５Ｃのトリム調整しようとするクリップのイン点又はアウト点をマウスカーソルを用いてダブルクリックすることにより、当該クリップのイン点又はアウト点の長さを調整することができる。
【０１２９】
例えば、オペレータが第１のビデオトラックの第１のクリップのアウト点をトリム調整しようとする場合、オペレータが当該クリップの枠５０Ａのアウト点のわずかに内側をダブルクリックすることにより、ＧＵＩは当該クリップのアウト点のトリム調整を実行する。この場合、図１６に示すようにメイン画面にはトリムダイアログウィンドウ１１０が表示される。
【０１３０】
このトリムダイアログウィンドウ１１０には、トリム調整しようとするクリップのトリム調整点のスタンプ画とこれに隣接するクリップのスタンプ画が表示されるようになされており、例えば図１６においては、トリム調整しようとするクリップ（５０Ａ）のアウト点のスタンプ画１１０Ａ及び当該アウト点に隣接する第２のクリップ（５０Ｂ）のイン点のスタンプ画１１０Ｂが表示される。
【０１３１】
このようにしてオペレータによるトリム調整の命令が入力されると、ＧＵＩは図１７に示すトリム調整処理手順にステップＳＰ５０から入ると共にステップＳＰ５１においてトリム調整処理を開始する。
【０１３２】
そしてＧＵＩは、続くステップＳＰ５２においてこのときトリム調整しようとする第１のビデオトラック３５Ｃに加えて第２のビデオトラックにクリップが存在するか否かの判断と、直接編集可能トラックとして設定されている第１のビデオトラック３５Ｃに対して第２のビデオトラック３５Ｅが編集作業を反映するトラックとして設定されているか否かの判断を行う。
【０１３３】
ここで肯定結果が得られると、このことは第２のビデオトラックに存在するクリップに対しても第１のビデオトラック３５Ｃでのトリム調整の結果を反映する必要があることを表しており、このときＧＵＩはステップＳＰ５３に移って、トリム調整しようとする第１のビデオトラックのクリップ（５０Ａ）のアウト点と同じ時間位置に存在する第２のビデオトラック３５Ｅのクリップ（ブランクを含む）に編集点を設定した後、ステップＳＰ５４に移る。
【０１３４】
これに対してステップＳＰ５２において否定結果が得られると、このことは第２のビデオトラック３５Ｅにおいて第１のビデオトラック３５Ｃのトリム調整を反映する必要がないことを表しており、このときＧＵＩはステップＳＰ５４に移る。
【０１３５】
ステップＳＰ５４において、オペレータが第１のビデオトラック３５Ｃの第１のクリップ（５０Ａ）のアウト点をマウスカーソルの移動によって調整することにより、ＧＵＩは第１のビテオトラック３５Ｃの第１のクリップ（５０Ａ）のアウト点を当該調整に応じて移動させる。このときＧＵＩはトリム調整するクリップ（５０Ａ）のイン点の位置は変化させない。これにより、メイン画面に表示されたトリムダイアログウィンドウ１１０のトリム調整しようとするクリップ（５０Ａ）のアウト点のスタンプ画１１０Ａが当該調整動作に応じて変化し、常に調整された時間位置でのスタンプ画を表示する。
【０１３６】
このようにしてオペレータによるアウト点の調整が終了すると、ＧＵＩは続くステップＳＰ５５に移り、ステップＳＰ５４における調整量を取得した後、ステップＳＰ５６に移る。ステップＳＰ５６においてＧＵＩは調整量の増減、すなわちトリム調整によって変化した第１のクリップ（５０Ａ）のアウト点の時間位置の変化を検出する。
【０１３７】
この検出結果が増加した状態（すなわち時間が進んだ状態）である場合、ＧＵＩはステップＳＰ５７に移り、当該調整量分だけ後続クリップを全て後方に移動させる。この場合の後続クリップとは、上述のステップＳＰ５２において第１のビデオトラック３５Ｃのみがトリム調整トラックとして設定されている場合には、第１のビデオトラック３５Ｃの第１のクリップ（５０Ａ）のアウト点以降の全てのクリップを表し、これに対して上述のステップＳＰ５２において第１のビデオトラック３５Ｃに加えて第２のビデオトラック３５Ｅがトリム調整トラックとして設定されている場合には、第１のビデオトラック３５Ｃの第１のクリップ（５０Ａ）のアウト点（これをトリム調整点と呼ぶ）以降の全てのクリップと第２のビデオトラック３５Ｅのトリム調整点以降の全てのクリップを表す。
【０１３８】
このようにしてトリム調整が行われると、ＧＵＩは続くステップＳＰ５９に移って、トリム調整された第１のクリップ（５０Ｂ）の素材長を調整量分だけ変更し、続くステップＳＰ６０に移る。
【０１３９】
これに対してステップＳＰ５６における検出結果が減少した状態（すなわち時間が戻った状態）である場合、ＧＵＩはステップＳＰ５８に移り、当該調整量分だけ後続クリップを全て前方に移動させる。この場合の後続クリップとは、上述のステップＳＰ５２において第１のビデオトラック３５Ｃのみがトリム調整トラックとして設定されている場合には、第１のビデオトラック３５Ｃの第１のクリップ（５０Ａ）のアウト点以降の全てのクリップを表し、これに対して上述のステップＳＰ５２において第１のビデオトラック３５Ｃに加えて第２のビデオトラック３５Ｅがトリム調整トラックとして設定されている場合には、第１のビデオトラック３５Ｃの第１のクリップ（５０Ａ）のアウト点（これをトリム調整点と呼ぶ）以降の全てのクリップと第２のビデオトラック３５Ｅのトリム調整点以降の全てのクリップを表す。
【０１４０】
このようにしてトリム調整が行われると、ＧＵＩは続くステップＳＰ５９に移って、トリム調整された第１のクリップ（５０Ｂ）の素材長を調整量分だけ変更し、続くステップＳＰ６０に移る。
【０１４１】
ステップＳＰ６０は、トリム調整しようとするクリップに対してそのイン点側を調整する場合に実行される処理ステップであり、調整後のイン点を元のイン点位置に一致させる処理である。
【０１４２】
かくしてＧＵＩはステップＳＰ６１において当該トリム調整処理手順を終了する。この処理手順によると、図１８（Ａ）に示すように第１のクリップ５０Ａのアウト点５０OUT を前方に移動させると、図１８（Ｂ）に示すように第１のクリップ５０Ａが短くなった分だけ第１のクリップ５０Ａ及び第２のクリップ５０Ｂ間に空白領域ＢＬＫが形成され、ＧＵＩは当該空白領域ＢＬＫを埋めるように後続のクリップ５０Ｂ及び５０Ｃが前方に移動させる（図１８（Ｃ））。
【０１４３】
また、図１８（Ｄ）に示すように第１のクリップ５０Ａのアウト点を後方に移動させると、ＧＵＩは図１８（Ｅ）に示すように第１のクリップが長くなった分だけ後続のクリップ５０Ｂ及び５０Ｃを後方に移動させる。
【０１４４】
これに対して、図１９（Ａ）に示すように第１のクリップ５０Ａのイン点５０INを後方に移動させると、図１９（Ｂ）に示すように第１のクリップ５０Ａが短くなった分だけ第１のクリップ５０Ａの直前に空白領域ＢＬＫが形成され、ＧＵＩは当該空白領域ＢＬＫを埋めるように第１のクリップ５０Ａ以降の全てのクリップ５０Ａ、５０Ｂ及び５０Ｃを前方に移動させる（図１９（Ｃ））。
【０１４５】
また、図１９（Ｄ）に示すように第１のクリップ５０Ａのイン点を前方に移動させると、ＧＵＩは図１９（Ｅ）に示すように第１のクリップが長くなった分だけ当該第１のクリップのイン点５０INを元のイン点位置に一致させるように後方移動させ、これに応じて後続の全てのクリップ５０Ｂ及び５０Ｃも後方に移動させる。
【０１４６】
かくして、トリム調整処理手順によると、トリム調整したクリップに続く全てのクリップの相対関係が保持され、これにより各クリップの連続性が保たれる。
【０１４７】
因みに図２０は第１のビデオトラック３５Ｃの第１のクリップ（５０Ａ）のアウト点を後方に移動させた場合を示し、この場合第２のビデオトラック３５Ｅがその調整を反映することにより、ＧＵＩは第１のビデオトラック３５Ｃの第１のクリップのアウト点の時間位置にあるブランクＢＬＫの長さを、第１のクリップ５０Ａのトリム調整に応じて延ばし、これにより当該ブランクＢＬＫに続く全てのクリップ（５１Ａ、５１Ｂ）が後方に移動される。かくして第１のビデオトラック３５Ｃのトリム調整が行われたクリップ（５０Ａ）のアウト点（トリム調整点）以降の全てのクリップ（５０Ｂ、５０Ｃ及び５０Ｄ）と第２のビデオトラック３５Ｅにおけるトリム調整点以降の全てのクリップ（５１Ａ、５１Ｂ）が同様に移動されるので、２つのビデオトラックの各クリップの相対位置関係が保持され、それぞれの連続性が保たれる。
【０１４８】
なお、第１及び第２のオーディオトラック３５Ｇ及び３５Ｈにおいてもビデオトラックの場合と同様にして、クリップ（５２Ａ）に対してトリム調整すると、第１のオーディオトラック３５Ｇ及び第２のオーディオトラック３５Ｈの各クリップがそれぞれ位置関係を保ちながら移動され、これにより各クリップの連続性が保たれる。
【０１４９】
因みに、１つのトラックに対してのみトリム調整をする場合には、上述したマウスカーソルによる設定に代えて、編集リスト作成部３５の上部に設けられたシングルトリムボタン３３Ｘ（図２０）をクリックすることによっても実行可能であり、さらに複数トラックに対してトリム調整を反映させる場合には、デュアルトリムボタン３３Ｙ（図２０）をクリックすることによっても実行可能である。
【０１５０】
次に、編集リスト作成部３５の各タイムライントラックに貼り付けられたクリップをその長さ及び内容を変更せずにタイムライン上での位置を調整するスライドトリム調整について説明する。
【０１５１】
すなわち、オペレータは、図６について上述したメイン画面の編集リスト作成部３５の直接編集可能トラックとして指定されている第１のビテオトラック３５Ｃのスライドトリム調整しようとするクリップをマウスカーソルを用いてクリックすると共に編集リスト作成部３５の上部に設けられたスライドトリムボタン３４Ａをクリックすることにより、当該選択されたクリップの左側に隣接しているクリップのアウト点と、当該選択されたクリップの右側に隣接しているクリップのイン点とを同じ方向に同じ調整量だけ調整し、選択されたクリップをその内容を変化させずにタイムライン上での位置を移動させることができる。
【０１５２】
この処理は、第１及び第２のビデオトラック３５Ｃ及び３５Ｅにクリップが存在している場合には、スライドトリム調整するクリップを有するトラックに加えて他方のトラックも同様の処理が施され、これに対してスライドトリム調整するクリップを有するトラックのみにクリップが存在する場合には、当該トラックのみに対して処理が施される。
【０１５３】
例えば、編集リスト作成部３５の一部を示す図２１において、オペレータが第１のビデオトラック３５Ｃの第２のクリップ５０Ｂをスライドトリム調整するクリップとして指定すると、ＧＵＩは当該クリップ５０Ｂのスライドトリム調整を実行する。この場合、図２２に示すようにメイン画面にはスライドトリムダイアログウィンドウ１１０が表示される。
【０１５４】
このスライドトリムダイアログウィンドウ１１０には、スライドトリム調整しようとするクリップ５０Ｂの左側に隣接するクリップ５０Ａのアウト点のスタンプ画１１０Ａと、スライドトリム調整しようとするクリップ５０Ｂのイン点のスタンプ画１１０Ｂと、スライドトリム調整しようとするクリップ５０Ｂのアウト点のスタンプ画１１０Ｃと、スライドトリム調整しようとするクリップ５０Ｂの右側に隣接するクリップ５０Ｃのイン点のスタンプ画１１０Ｄとが表示される。
【０１５５】
このスライドトリム調整においては、スライドトリム調整しようとするクリップ５０Ｂの内容は変化しないことにより、そのイン点のスタンプ画１１０Ｂ及びアウト点のスタンプ画１１０Ｃはスライドトリム調整によって変化せず、その前のクリップ５０Ａのアウト点のスタンプ画１１０Ａ及びその後ろのクリップ５０Ｃのイン点のスタンプ画１１０Ｃがスライドトリム調整によって変化する。
【０１５６】
このようにしてオペレータによるスライドトリム調整の命令が入力されると、ＧＵＩは図２３に示すスライドトリム調整処理手順にステップＳＰ６０から入ると共にステップＳＰ６１においてスライドトリム調整処理を開始する。
【０１５７】
そしてＧＵＩは、続くステップＳＰ６２においてこのときスライドトリム調整しようとする第１のビデオトラック３５Ｃのクリップ５０Ｂのイン点及びアウト点の時間位置と同じ第２のビデオトラックの時間位置にクリップが存在するか否かを判断する。
【０１５８】
ここで肯定結果が得られると、このことは例えば図２４に示すように、スライドトリム調整しようとする第１のビテオトラック３５Ｃのクリップ５０Ｂのイン点と同じ時間位置に第２のビデオトラック３５Ｅのクリップ５１Ａが存在すること、及び又は第１のビテオトラック３５Ｃのクリップ５０Ｂのアウト点と同じ時間位置に第２のビデオトラック３５Ｅのクリップ５１Ｂが存在することを表しており、このときＧＵＩはステップＳＰ６３に移って、図２４に示すようにクリップ５０Ｂのイン点と同じ時間位置にある隣接トラックのクリップ５１Ａのアウト点を編集点として設定すると共に、クリップ５０Ｂのアウト点と同じ時間位置にある隣接トラックのクリップ５１Ｂのイン点を編集点として設定し、続くステップＳＰ６４に移る。
【０１５９】
これに対してステップＳＰ６２において否定結果が得られると、このことは図２１に示すように、スライドトリム調整しようとする第１のビテオトラック３５Ｃのクリップ５０Ｂのイン点と同じ時間位置に第２のビデオトラック３５Ｅのクリップが存在せず、第１のビテオトラック３５Ｃのクリップ５０Ｂのアウト点と同じ時間位置に第２のビデオトラック３５Ｅのクリップが存在しないことを表しており、このときＧＵＩはステップＳＰ６４に移る。
【０１６０】
ステップＳＰ６４において、ＧＵＩはクリップ５０Ｂをオペレータの指定に応じて移動させる。この場合、オペレータは図２２に示すスライドトリムダイアログウィンドウ１１０のスライドバー１１１Ａ又は移動ボタン１１１Ｇをマウスカーソルを用いてスライド又はクリックすることにより、クリップ５０Ｂを任意の移動量だけ左右に移動させることができる。
【０１６１】
そしてＧＵＩは、続くステップＳＰ６５に移り、クリップ５０Ｂの移動に伴ってその左側に隣接するクリップのアウト点をクリップ５０Ｂの調整量だけ移動させる。この場合、クリップ５０Ｂの左側に隣接するクリップとしては、図２１の場合にはクリップ５０Ａのみであるが、図２４の場合にはブランクＢＬＫ１及び隣接トラック３５Ｅのクリップ５１Ａが対象となる。
【０１６２】
さらにＧＵＩは、続くステップＳＰ６６に移り、クリップ５０Ｂの移動に伴ってその右側に隣接するクリップのイン点をクリップ５０Ｂの調整量だけ移動させる。この場合、クリップ５０Ｂの右側に隣接するクリップとしては、図２１の場合にはクリップ５０Ｃのみであるが、図２４の場合にはブランクＢＬＫ２及び隣接トラック３５Ｅのクリップ５１Ｂが対象となる。
【０１６３】
かくしてＧＵＩはステップＳＰ６７においてクリップ５０Ｂを実際にタイムライントラック上で移動させ、ステップＳＰ６８において当該処理手順を終了する。
【０１６４】
このようにしてスライドトリム調整処理が実行されると、図２１に示すクリップ５０Ｂはその内容及び長さを変えることなくタイムライン上を例えば前方（右方向）に移動し、この結果図２５に示すように、クリップ５０Ｂの移動に伴って左側に隣接するクリップ５０Ａのアウト点が前方に移動されると共に、クリップ５０Ｂの右側に隣接するクリップ５０Ｃのイン点が前方に移動される。
【０１６５】
これに対して図２４に示すクリップ５０Ｂは、スライドトリム調整処理によって、その内容及び長さを変えることなくタイムライン上を例えば前方（右方向）に移動し、この結果図２６に示すように、クリップ５０Ｂの移動に伴ってその左側に隣接するブランクＢＬＫ１アウト点及びこれに隣接するトラック３５Ｅの同じ時間位置にあるクリップ５１Ａのアウト点が前方に移動されると共に、クリップ５０Ｂの右側に隣接するブランクＢＬＫ２のイン点及びこれに隣接するトラック３５Ｅの同じ時間位置にあるクリップ５１Ｂのイン点が前方に移動される。
【０１６６】
かくしてスライドトリム調整によると、調整しようとするクリップの内容及び長さを変えることなく当該クリップを任意に移動させることができ、この場合他のクリップの相対関係を保持してその連続性を保つことができる。
【０１６７】
因みに、スライドトリム調整を行った際にオペレータがスライドトリムダイアログウィンドウ１１０の再生ボタン１１１Ｅをクリックすると、ＧＵＩは調整クリップのイン点側又はアウト点側を再生するようになされている。この際のイン点側又はアウト点側の指定は再生ポイント指定ボタン１１１Ｂ及び１１１Ｃをクリックすることにより行うことができ、また再生時間は再生時間指定部１１１Ｂにおいて設定できる。
【０１６８】
またオペレータがスライドトリムダイアログウィンドウ１１０のサイクル再生ボタン１１１Ｆをクリックすることにより、ＧＵＩは調整クリップのイン点又はアウト点を繰り返し再生する。
【０１６９】
なお、スライドトリム調整処理は、ビデオトラックに限らずオーディオトラックにおいても同様に実行可能であり、ビデオトラックのクリップに対してスライドトリム調整が施された場合においてこれに応動してオーディオトラックのクリップが調整される。また、オペレータが直接オーディオトラックに対してスライドトリム調整を指定した場合には、当該オーディオトラックに対してスライドトリム調整が施される。
【０１７０】
次に、編集リスト作成部３５の各タイムライントラックに貼り付けられたクリップをその長さ及びタイムライン上での位置を変更せずにその内容を移動調整するスリップトリム調整について説明する。
【０１７１】
すなわち、オペレータは、図６について上述したメイン画面の編集リスト作成部３５の直接編集可能トラックとして指定されている第１のビテオトラック３５Ｃのスリップトリム調整しようとするクリップをマウスカーソルを用いてクリックすると共に編集リスト作成部３５の上部に設けられたスリップトリムボタン３３Ｚをクリックすることにより、当該選択されたクリップの内容（すなわちクリップを作成する際のハードディスク２（図１）のオリジナル素材上での抜き取り位置）だけを変更させるスリップ調整処理を実行させることができる。
【０１７２】
例えば、編集リスト作成部３５の一部を示す図２７において、オペレータが第１のビデオトラック３５Ｃの第２のクリップ５０Ｂをスリップトリム調整するクリップとして指定すると、ＧＵＩは当該クリップ５０Ｂのスリップトリム調整を実行する。この場合、図２８に示すようにメイン画面にはスリップトリムダイアログウィンドウ１２０が表示される。
【０１７３】
このスリップトリムダイアログウィンドウ１２０には、スリップトリム調整しようとするクリップ５０Ｂの左側に隣接するクリップ５０Ａのアウト点のスタンプ画１２０Ａと、スリップトリム調整しようとするクリップ５０Ｂのイン点のスタンプ画１２０Ｂと、スリップトリム調整しようとするクリップ５０Ｂのアウト点のスタンプ画１２０Ｃと、スリップトリム調整しようとするクリップ５０Ｂの右側に隣接するクリップ５０Ｃのイン点のスタンプ画１２０Ｄとが表示される。
【０１７４】
このスリップトリム調整においては、スリップトリム調整しようとするクリップ５０Ｂに隣接するクリップ５０Ａ及び５０Ｃの内容は変化しないことにより、スタンプ画１２０Ａ及び１２０Ｄはスリップトリム調整によって変化せず、スリップトリム調整するクリップ５０Ｂのイン点のスタンプ画１２０Ｂ及びアウト点のスタンプ画１２０Ｃがスリップトリム調整によって変化する。
【０１７５】
このようにしてオペレータによるスリップトリム調整の命令が入力されると、ＧＵＩはスリップトリム調整処理を実行開始する。そして、オペレータが図２８に示すスリップトリムダイアログウィンドウ１２０のスライドバー１２１Ａ又は移動ボタン１２１Ｇをクリックすることにより、調整しようとするクリップ５０Ｂの内容がオリジナル素材上において移動する。因みに、スライドバー１２１Ａは調整しようとするクリップの内容を連続的に移動させることができ、これに対して移動ボタン１２１Ｇは調整しようとするクリップの内容を１０フレーム単位で移動させることができる。
【０１７６】
図２７（Ａ）に示すように、第１のビデオトラック３５Ｃのタイムコード「00:30:20:00 」から「00:30:25:00 」までの間に設定されているクリップ５０Ｂに対してスリップトリム調整を行う場合、当該スリップトリム調整しようとするクリップ５０Ｂの内容が、図２７（Ｂ）に示すように、ハードディスク２（図１）上のタイムコード「00:00:40:00 」から「00:00:45:00 」までの間の素材データであるとすると、オペレータがスリップトリムダイアログウィンドウ１２０を操作することによって、クリップ５０Ｂの内容を素材の別の位置から抜き取る指定を行うと、コンピュータ３（図１）は当該指定に基づいてクリップ５０Ｂとして貼り付ける内容を、図２７（Ｂ）に示すように他の位置（すなわちタイムコード「00:00:20:00 」から「00:00:25:00 」までの範囲）の素材データに置き換える。
【０１７７】
かくして、オペレータはスリップトリム調整しようとするクリップ５０Ｂの前後に隣接する他のクリップ５０Ａ及び５０Ｃを意識することなく、目的のクリップ５０Ｂの内容を変更することができる。
【０１７８】
因みに、スリップトリム調整を行った際にオペレータがスリップトリムダイアログウィンドウ１２０の再生ボタン１２１Ｅをクリックすると、ＧＵＩは調整クリップのイン点側又はアウト点側を再生するようになされている。この際のイン点側又はアウト点側の指定は再生ポイント指定ボタン１２１Ｂ及び１２１Ｃをクリックすることにより行うことができ、また再生時間は再生時間指定部１２１Ｂにおいて設定できる。
【０１７９】
またオペレータがスリップトリムダイアログウィンドウ１２０のサイクル再生ボタン１２１Ｆをクリックすることにより、ＧＵＩは調整クリップのイン点又はアウト点を繰り返し再生する。
【０１８０】
なお、スリップトリム調整処理は、ビデオトラックに限らずオーディオトラックにおいても同様に実行可能であり、ビデオトラックのクリップに対してスライドトリム調整が施された場合においてこれに応動してオーディオトラックのクリップが調整される。また、オペレータが直接オーディオトラックに対してスリップトリム調整を指定した場合には、当該オーディオトラックに対してスリップトリム調整が施される。
【０１８１】
（５）実施の形態の動作及び効果
以上の構成において、メイン画面上に表示される編集リスト作成部３５（図６）のタイムライントラックに対する編集作業を行う際に、オペレータが所望のクリップに対してそのイン点又はアウト点を移動させることにより当該クリップの長さを変更することができる。この場合、ＧＵＩは長さを変更したクリップの調整された調整点（イン点又はアウト点）の変化に応じて、当該調整点以降のクリップを調整点の変化に応じた分だけ移動させることにより、調整点以降のクリップは互いに相対関係を保持することができ、連続性が保たれる。
【０１８２】
これによりオペレータは長さを調整しようとするクリップのイン点又はアウト点を移動するだけの簡単な操作で当該クリップの長さ調整と、これに続くクリップの相対関係の保持を行うことができる。
【０１８３】
また相対関係を保持するトラックとして複数トラックを指定しておくことにより、調整点の移動に伴って複数のトラックのクリップを移動させることができ、これにより複数トラックでのクリップの相対関係及び連続性の保持を行うことができる。
【０１８４】
かくして以上の構成によれば、編集リストを作成する際の編集作業を一段と容易にすることができる。
【０１８５】
（６）他の実施の形態
上述の実施の形態においては、本発明を図１及び図２に構成された編集装置１に適用する場合について述べたが、本発明はこれに限らず、要はオペレータの操作に基づいて編集リストを作成する種々の装置に広く適用することができる。
【０１８６】
【発明の効果】
上述のように本発明においては、繋ぎ合わされることにより編集データを構成する編集素材が時間軸に沿って登録される第１のビデオトラックと、時間軸に沿って編集素材が登録される第２のビデオトラックと、第１及び第２のビデオトラックのうち一方のビデオトラックにおける調整結果を他方のビデオトラックに反映させるか否かを設定する設定手段と、一方のビデオトラックにおいて編集データ上の任意の編集素材の開始点又は終了点を調整点として調整することにより編集素材の素材長を編集データ上で変化させると共に、編集素材の調整点以降の編集データを調整点の調整に伴って移動させる素材長調整手段と、一方のビデオトラックに対する調整結果を他方のビデオトラックに反映させると設定されている場合には、素材長調整手段による一方のビデオトラックに対する調整結果を他方のビデオトラックに反映させる調整結果反映手段と、第１及び第２のビデオトラック及び一方のトラックにおける調整結果を他方のトラックに反映させるか否かを設定するための設定ボタンを表示装置に表示させるための表示データを生成すると共に、素材長調整手段及び調整結果反映手段による調整結果を第１及び第２のビデオトラックに反映させる表示制御手段とを設けることにより、調整点の移動に伴って複数のビデオトラックの編集素材の長さを移動させることができ、かくして調整点以降の各編集素材の相対関係及び連続性を保ったまま所望の編集素材の編集データ上での素材長を調整することができる。
【０１８７】
かくするにつき、一段と容易に所望の編集データを作成することができる。
【図面の簡単な説明】
【図１】本発明による編集データ作成装置を有する編集装置の全体構成を示すブロック図である。
【図２】編集装置のコンピュータの構成を示すブロック図である。
【図３】ＧＵＩのメイン画面を示す略線図である。
【図４】ＧＵＩのメイン画面に表示されるビデオクリップエディットウィンドウを示す略線図である。
【図５】ＧＵＩのメイン画面を示す略線図である。
【図６】ＧＵＩのメイン画面を示す略線図である。
【図７】クリップの挿入処理手順を示すフローチャートである。
【図８】クリップの挿入処理手順を示すフローチャートである。
【図９】ＧＵＩのメイン画面を示す略線図である。
【図１０】ＧＵＩのメイン画面を示す略線図である。
【図１１】ＧＵＩのメイン画面を示す略線図である。
【図１２】クリップの削除処理手順を示すフローチャートである。
【図１３】ＧＵＩのメイン画面を示す略線図である。
【図１４】ＧＵＩのメイン画面を示す略線図である。
【図１５】クリップの挿入処理手順を示すフローチャートである。
【図１６】ＧＵＩのメイン画面を示す略線図である。
【図１７】トリム調整処理手順を示すフローチャートである。
【図１８】アウト点のトリム調整の説明に供する略線図である。
【図１９】イン点のトリム調整の説明に供する略線図である。
【図２０】ＧＵＩのメイン画面を示す略線図である。
【図２１】編集リスト作成部を示す部分的略線図である。
【図２２】スライドトリムダイアログウィンドウを示す略線図である。
【図２３】スライドトリム調整処理手順を示すフローチャートである。
【図２４】編集リスト作成部を示す部分的略線図である。
【図２５】編集リスト作成部を示す部分的略線図である。
【図２６】編集リスト作成部を示す部分的略線図である。
【図２７】スリップトリム処理の説明に供する略線図である。
【図２８】スリップトリムダイアログウィンドウを示す略線図である。
【符号の説明】
１……編集装置、２……ハードディスク、３……コンピュータ、４……システム制御部、８……映像特殊効果処理部、１２……ディスプレイ、１３……マウス、１５……キーボード、２０……ＣＰＵ、２２……ＲＡＭ、３０……メイン画面、３２……クリップ表示部、３５……編集リスト作成部、３５Ａ、３５Ｃ……ビデオトラック、３５Ｇ、３５Ｈ……オーディオトラック、７０……トラック表示部、７１……ソース選択表示部、５０Ａ〜５０Ｄ、５１Ａ、５１Ｂ、５２Ａ〜５２Ｄ、５３Ａ、５３Ｂ……クリップ枠、１１０、１２０……ダイアログウィンドウ。
【図１】
0004158065.tif 000002
【図２】
0004158065.tif 000003
【図３】
0004158065.tif 000004
【図４】
0004158065.tif 000005
【図５】
0004158065.tif 000006
【図６】
0004158065.tif 000007
【図７】
0004158065.tif 000008
【図８】
0004158065.tif 000009
【図９】
0004158065.tif 000010
【図１０】
0004158065.tif 000011
【図１１】
0004158065.tif 000012
【図１２】
0004158065.tif 000013
【図１３】
0004158065.tif 000014
【図１４】
0004158065.tif 000015
【図１５】
0004158065.tif 000016
【図１６】
0004158065.tif 000017
【図１７】
0004158065.tif 000018
【図１８】
0004158065.tif 000019
【図１９】
0004158065.tif 000020
【図２０】
0004158065.tif 000021
【図２１】
0004158065.tif 000022
【図２２】
0004158065.tif 000023
【図２３】
0004158065.tif 000024
【図２４】
0004158065.tif 000025
【図２５】
0004158065.tif 000026
【図２６】
0004158065.tif 000027
【図２７】
0004158065.tif 000028
【図２８】
0004158065.tif 000029